(57)【要約】【課題】ユーザに対してデータセンターに関する十分な情報を提供する。【解決手段】データセンター検索システム１００は、データセンターに関するデータセンター情報を記憶する記憶部１０と、データセンター情報を検索するためのユーザ用入力部２１と、ユーザ用入力部２１によって検索した結果、記憶部１０から読み出されたデータセンター情報を表示するユーザ用表示部２２と、を備えている。記憶部１０に記憶されたデータセンター情報は、所定の条件を満たす会員のみによって検索可能となっている。【選択図】図１
2015162240.tif 000002
【特許請求の範囲】
【請求項１】
データセンターに関するデータセンター情報を記憶する記憶部と、
前記データセンター情報を検索するための情報を入力するための入力部と、
前記入力部から入力された情報に基づき、前記記憶部から読み出されたデータセンター情報を表示するユーザ用表示部と、
を備え、
前記記憶部に記憶されたデータセンター情報は、所定の条件を満たす会員のみによって検索可能となっていることを特徴とするデータセンター検索システム。
【請求項２】
前記記憶部は、前記データセンター情報を検索する際に前記入力部から入力された条件を記憶し、
前記入力された条件を前記記憶部から読み出す解析部と、
前記解析部で読み出された前記入力された条件に関する情報を表示するベンダー用表示部と、
をさらに備えたことを特徴とする請求項１に記載のデータセンター検索システム。
【請求項３】
前記入力された条件に関する情報は、ユーザがデータセンターの利用を開始する予定時期に関する情報又はユーザが必要とするデータセンターの大きさに関する情報を含むことを特徴とする請求項２に記載のデータセンター検索システム。
【請求項４】
前記ユーザ用表示部は、将来提供できるデータセンターに関する将来情報を表示することを特徴とする請求項１乃至３のいずれか１項に記載のデータセンター検索システム。
【請求項５】
前記ユーザ用表示部は、現在提供できるデータセンターに関する現在情報も表示することを特徴とする請求項４に記載のデータセンター検索システム。
【請求項６】
前記ユーザ用表示部は、前記データセンターの電源に関する情報を表示することを特徴とする請求項１乃至５のいずれか１項に記載のデータセンター検索システム。
【請求項７】
前記データセンターの電源に関する情報は、系統受電方式に関する情報及び系統引込形態に関する情報のいずれか１つ以上を含むことを特徴とする請求項６に記載のデータセンター検索システム。
【請求項８】
前記データセンターの電源に関する情報は、自家発電設置台数及びＵＰＳ設置台数のいずれか１つ以上を含むことを特徴とする請求項６又は７のいずれかに記載のデータセンター検索システム。
【請求項９】
前記ユーザ用表示部は、前記データセンターの空調に関する情報を表示することを特徴とする請求項１乃至８のいずれか１項に記載のデータセンター検索システム。
【請求項１０】
前記データセンターの空調に関する情報は、断水時稼働時間を含むことを特徴とする請求項９に記載のデータセンター検索システム。
【請求項１１】
前記ユーザ用表示部は、前記データセンターの通信環境に関する情報を表示することを特徴とする請求項１乃至１０のいずれか１項に記載のデータセンター検索システム。
【請求項１２】
前記データセンターの通信環境に関する情報は、回線引込形態に関する情報及び異局収容の可否のいずれか１つ以上を含むことを特徴とする請求項１１に記載のデータセンター検索システム。
【請求項１３】
前記ユーザ用表示部は、前記データセンターの設備に関する情報を表示することを特徴とする請求項１乃至１２のいずれか１項に記載のデータセンター検索システム。
【請求項１４】
前記データセンターの設備に関する情報は、常駐スペースの大きさ、仮眠室の収容人数及び搬入用エレベータの開口面積のいずれか１つ以上を含むことを特徴とする請求項１３に記載のデータセンター検索システム。
【請求項１５】
会員になるための前記所定の条件は、ユーザの売上高及び業種に基づいて決定されることを特徴とする請求項１乃至１４のいずれか１項に記載のデータセンター検索システム。
【請求項１６】
データセンターに関するデータセンター情報を記憶する記憶部であって、入力部から入力された情報に基づきユーザ用表示部に表示するためのデータセンター情報が読み出される記憶部を備え、
前記記憶部に記憶されたデータセンター情報は、所定の条件を満たす会員のみによって検索可能となっていることを特徴とするデータセンター情報提供装置。
【発明の詳細な説明】
【技術分野】
【０００１】
本発明は、サーバやストレージ等の機器を収容するためのデータセンターをユーザが検索するためのデータセンター検索システムと、このようなデータセンター検索システムに用いられるデータセンター情報提供装置に関する。
【背景技術】
【０００２】
従来から、コンピュータシステムによりインターネット等を介してユーザに種々のサービスを提供する際に、サービスの提供に係る多数のサーバやストレージ等の機器を集約して運用・管理するデータセンターが知られている（特許文献１参照）。
【０００３】
このようなデータセンターはベンダーによって提供されることとなるが、ベンダーが提供するデータセンターには様々なスペックの設備がある。ユーザがデータセンターを探す際には、例えばＷＥＢ上の検索サイトで検索すること等が考えられるが、不特定多数の人間がアクセスできるＷＥＢ上では、ベンダーから提供を受けて開示できる情報が限られている。このため、ユーザが知ることのできる項目が限られており、ユーザに対して十分な情報を提供できていない。
【先行技術文献】
【特許文献】
【０００４】
【特許文献１】特開２０１１−１１３２６７号公報
【発明の概要】
【発明が解決しようとする課題】
【０００５】
本発明は、このような点を鑑みてなされたものであり、ユーザに対してデータセンターに関する十分な情報を提供することができるデータセンター検索システム及びデータセンター情報提供装置を提供する。
【課題を解決するための手段】
【０００６】
本発明によるデータセンター検索システムは、
データセンターに関するデータセンター情報を記憶する記憶部と、
前記データセンター情報を検索するための情報を入力するための入力部と、
前記入力部から入力された情報に基づき、前記記憶部から読み出されたデータセンター情報を表示するユーザ用表示部と、
を備え、
前記記憶部に記憶されたデータセンター情報が、所定の条件を満たす会員のみによって検索可能となっている。
【０００７】
本発明によるデータセンター検索システムにおいて、
前記記憶部は、前記データセンター情報を検索する際に前記入力部から入力された条件を記憶し、
本発明によるデータセンター検索システムは、
前記入力された条件を前記記憶部から読み出す解析部と、
前記解析部で読み出された前記入力された条件に関する情報を表示するベンダー用表示部と、
をさらに備えてもよい。
【０００８】
本発明によるデータセンター検索システムにおいて、
前記入力された条件に関する情報は、ユーザがデータセンターの利用を開始する予定時期に関する情報又はユーザが必要とするデータセンターの大きさに関する情報を含んでもよい。
【０００９】
本発明によるデータセンター検索システムにおいて、
前記ユーザ用表示部は、将来提供できるデータセンターに関する将来情報を表示してもよい。
【００１０】
本発明によるデータセンター検索システムにおいて、
前記ユーザ用表示部は、現在提供できるデータセンターに関する現在情報も表示してもよい。
【００１１】
本発明によるデータセンター検索システムにおいて、
前記ユーザ用表示部は、前記データセンターの電源に関する情報を表示してもよい。
【００１２】
本発明によるデータセンター検索システムにおいて、
前記データセンターの電源に関する情報は、系統受電方式に関する情報及び系統引込形態に関する情報のいずれか１つ以上を含んでもよい。
【００１３】
本発明によるデータセンター検索システムにおいて、
前記データセンターの電源に関する情報は、自家発電設置台数及びＵＰＳ設置台数のいずれか１つ以上を含んでもよい。
【００１４】
本発明によるデータセンター検索システムにおいて、
前記ユーザ用表示部は、前記データセンターの空調に関する情報を表示してもよい。
【００１５】
本発明によるデータセンター検索システムにおいて、
前記データセンターの空調に関する情報は、断水時稼働時間を含んでもよい。
【００１６】
本発明によるデータセンター検索システムにおいて、
前記ユーザ用表示部は、前記データセンターの通信環境に関する情報を表示してもよい。
【００１７】
本発明によるデータセンター検索システムにおいて、
前記データセンターの通信環境に関する情報は、回線引込形態に関する情報及び異局収容の可否のいずれか１つ以上を含んでもよい。
【００１８】
本発明によるデータセンター検索システムにおいて、
前記ユーザ用表示部は、前記データセンターの設備に関する情報を表示してもよい。
【００１９】
本発明によるデータセンター検索システムにおいて、
前記データセンターの設備に関する情報は、常駐スペースの大きさ、仮眠室の収容人数及び搬入用エレベータの開口面積のいずれか１つ以上を含んでもよい。
【００２０】
本発明によるデータセンター検索システムにおいて、
会員になるための前記所定の条件は、ユーザの売上高及び業種に基づいて決定されてもよい。
【００２１】
本発明によるデータセンター情報提供装置は、
データセンターに関するデータセンター情報を記憶する記憶部であって、入力部から入力された情報に基づきユーザ用表示部に表示するためのデータセンター情報が読み出される記憶部を備え、
前記記憶部に記憶されたデータセンター情報が、所定の条件を満たす会員のみによって検索可能となっている。
【発明の効果】
【００２２】
本発明によれば、記憶部に記憶されたデータセンター情報は、所定の条件を満たす会員のみによって検索可能となっている。このため、当該データセンター情報にアクセスすることができる者を「所定の条件を満たす会員」に限定することができることから、より詳細な情報をベンダーから提供を受けてユーザに提供することができる。このため、ユーザに対してデータセンターに関する十分な情報を提供することができる。
【図面の簡単な説明】
【００２３】
【図１】図１は、本発明の実施の形態によるデータセンター検索システムの構成を示す概略図である。
【図２Ａ】図２Ａは、本発明の実施の形態によるデータセンター検索システムのユーザ用入力部で検索のための情報を入力する際の態様を説明するための図である。
【図２Ｂ】図２Ｂは、図２Ａに続く画面を示した図である。
【図３Ａ】図３Ａは、本発明の実施の形態によるデータセンター検索システムのユーザ用表示部で表示される情報の一例を示した図である。
【図３Ｂ】図３Ｂは、図３Ａに続く画面を示した図である。
【図３Ｃ】図３Ｃは、図３Ｂに続く画面を示した図である。
【発明を実施するための形態】
【００２４】
実施の形態
《構成》
以下、本発明に係るデータセンター検索システムの実施の形態について、図面を参照して説明する。ここで、図１乃至図３Ｃは本発明の実施の形態を説明するための図である。
【００２５】
図１に示すように、本実施の形態によるデータセンター検索システム１００は、データセンターに関するデータセンター情報を記憶する記憶部１０と、データセンター情報を検索するための情報を入力するためのユーザ用入力部２１（特許請求の範囲の「入力部」に対応する。）と、ユーザ用入力部２１から入力された情報に基づき、記憶部１０から読み出されたデータセンター情報を表示するユーザ用表示部２２と、を備えている。なお、ユーザ用端末２０及びユーザ用表示部２２はユーザ用端末２０に含まれており、このユーザ用端末２０は各ユーザの元に設置されるものであることから、データセンター検索システム１００は複数のユーザ用端末２０を備えることとなる。
【００２６】
記憶部１０に記憶されたデータセンター情報は、所定の条件を満たす会員のみによって検索可能となっている。この所定の条件は、ユーザの売上高及び業種に基づいて決定され、一例としては、所定額以上の売上があり、かつ、特定の業種のユーザであることを条件としている。
【００２７】
本実施の形態によるデータセンター検索システム１００は、データセンター情報を検索する際にユーザ用入力部２１から入力された各項目に関する条件を記憶部１０から読み出す解析部５０と、解析部５０で読み出された前記入力された条件に関する情報を表示するベンダー用表示部６２も備えている。前記入力された条件に関する情報には、ユーザがデータセンターの利用を開始する予定時期に関する情報、当該ユーザが必要とするデータセンターの大きさに関する情報等が含まれている。なお、ベンダー用表示部６２はベンダー用端末６０に含まれており、このベンダー用端末６０はベンダー用入力部６１を有している。このベンダー用端末６０は各ベンダーの元に設置されるものであることから、データセンター検索システム１００は複数のベンダー用端末６０を備えることとなる。
【００２８】
ちなみに、上述した記憶部１０及び解析部５０は、データセンター情報提供装置１１０に含まれている。なお、このデータセンター情報提供装置１１０は、ユーザ用端末２０及びベンダー用端末６０の各々と通信できる通信部１１１を有している。なお、図１では、一つのデータセンター情報提供装置１１０を示しているが、これに限られることはなく、複数のデータセンター情報提供装置１１０が設けられていてもよい。
【００２９】
データセンター情報を検索する際には、ユーザは例えば、利用開始時期、必要ラック数、ラック当たりの電源供給量、ラック当たりの空調供給量等についてユーザ用入力部２１から入力する（図２Ａ参照）。また、ユーザは、さらに、データセンターの立地、電源、空調、通信、コンピュータ室、建物、設備等に関する情報をユーザ用入力部２１から入力する。立地に関しては、例えばデータセンターの設置地域、都道府県、最寄駅からの距離、最寄空港からの距離等を選択してユーザ用入力部２１から入力する（図２Ａ及び図２Ｂ参照）。電源に関しては、例えば系統受電方式、ＵＰＳ（Uninterruptible Power Supply：無停電電源装置）稼働時間、自家発電可能な時間等を選択してユーザ用入力部２１から入力する（図２Ｂ参照）。空調に関しては、空調方式、断水稼働時間等を選択してユーザ用入力部２１から入力する（図２Ｂ参照）。通信に関しては、例えばキャリア、異局収容の可否等を選択してユーザ用入力部２１から入力する（図２Ｂ参照）。コンピュータ室に関しては、例えばスラブ荷重、ラック荷重等を選択してユーザ用入力部２１から入力する（図２Ｂ参照）。設備に関しては、例えば常駐スペース、搬入用エレベータ開口面積等の数値をユーザ用入力部２１から入力する（図２Ｂ参照）。ちなみに、各項目に関して、特に指定しないときには、例えば「指定なし」のボタンを選択する等すればよい。
【００３０】
ところで、系統受電方式における「ループ受電」とは、変電所と受電者との間の配電線をループ状（環状）に繋ぐ構成となったものであり、変電所からの給電を常時２回線で受電することから、片側の１回線が故障してもその回線を遮断することにより、もう片方の１回線から受電を継続し無停電状態を維持できるものである。他方、「本線・予備電源」とは、常時は２回線のうち片方の１回線（本線）で受電するが、本線に故障が発生した際に、もう片方の１回線（予備線）に切り換えて受電するものである。また、通信における「異局収容」の可否とは２つ以上の局を介して通信を行っているか否かであり、「異局収容」が「可」であれば２つ以上の局を介して通信を行い、「異局収容」が「否」であれば１の局のみを介して通信を行っていることを意味する。
【００３１】
上記のようにして、ユーザがユーザ用端末２０から検索条件を入力すると、ユーザ用表示部２２は、以下に示すような情報を表示する。
【００３２】
ユーザ用表示部２２は、提供できるデータセンターの立地に関する情報を表示する（図３Ａ参照）。より具体的には、ユーザ用表示部２２は、提供できるデータセンターの地域及び都道府県を含む所在地に関する情報と、提供できるデータセンターの最寄駅からの距離及び最寄空港からの距離を含むアクセスに関する情報を表示する。なお、ユーザ用表示部２２は、複数のデータセンターの情報を並列して表示するようになっており、ユーザは一目でデータセンターの情報を比較することができる。また、各データセンターは実際の名前が表示されるわけではなくＩＤ番号等の識別情報が表示されるようになっている。このため、ユーザとベンダーとは直接コンタクトを取ることが難しくなっており、全体のシステムを提供する仲介者を介して、ユーザとベンダーがコンタクトを取ることができるようにすることができる。
【００３３】
ユーザ用表示部２２は、現在提供できるデータセンターに関する現在情報と、将来提供できるデータセンターに関する将来情報とを表示する（図３Ａ参照）。一例として、ユーザ用表示部２２は、現在提供できるデータセンターの電源供給余力、空調供給余力、空きラック数及びコンピュータ室の空き面積と、例えば６か月後、１年後といった将来に提供できるデータセンターの電源供給余力、空調供給余力、空きラック数及びコンピュータ室の空き面積を並列に表示する。このため、ユーザは、データセンターに関する現在情報とデータセンターに関する将来情報とを一目で比較することができる。
【００３４】
また、ユーザ用表示部２２は、データセンターの電源に関する情報を表示する（図３Ｂ参照）。より具体的には、ユーザ用表示部２２は、データセンターの電源に関する情報として、系統受電方式に関する情報、系統引込形態（より具体的には配線を引き込む管の形態）に関する情報、受電電圧に関する情報、ＵＰＳ稼働時間、自家発電可能な時間に関する情報、自家発電するための燃料を優先供給うける契約の有無、自家発電設置台数、ＵＰＳ設置台数等を表示する。
【００３５】
なお、図３Ｂに示す「自家発燃料」の項目で「時間」となっているのは、備蓄している燃料で自家発電を行うことができる時間の長さを意味し、すなわち自家発電可能な時間を意味している。また、系統引込形態における「とう道」とは、専用管路トンネルのうち、特に敷設、撤去、保守作業のために人が立ち入れる管径のものを意味し、「地下管路」とは、人が入ることができない管径のものを意味している。また、受電電圧において「特別高圧」とは７０００ボルトを超えるものを意味する。ちなみに、「低圧」とは、直流にあっては７５０ボルト以下、交流にあっては６００ボルト以下のものを意味し、「高圧」とは、直流にあっては７５０ボルトを超え、交流にあっては６００ボルトを超えるものを意味する。
【００３６】
また、ユーザ用表示部２２は、データセンターの空調に関する情報を表示する（図３Ｂ参照）。より具体的には、ユーザ用表示部２２は、データセンターの空調に関する情報として、空調方式、断水時稼働時間等を表示する。
【００３７】
また、ユーザ用表示部２２は、データセンターの通信環境に関する情報を表示する（図３Ｂ参照）。より具体的には、ユーザ用表示部２２は、データセンターの通信環境に関する情報として、キャリアの種類（より具体的には通信会社名）、回線引込形態（より具体的には回線を引き込む管の形態）に関する情報及び異局収容の可否を表示する。
【００３８】
また、ユーザ用表示部２２は、コンピュータ室に関する情報を表示する（図３Ｂ参照）。より具体的には、ユーザ用表示部２２は、コンピュータ室に関する情報として、スラブ荷重、ラック荷重等を表示する。
【００３９】
また、ユーザ用表示部２２は、建物に関する情報を表示する（図３Ｂ参照）。より具体的には、ユーザ用表示部２２は、建物に関する情報として、当該建物が耐震構造であるのか免震構造であるのか制振構造であるのかに関する情報、浸水対策の有無及びその内容等を表示する。
【００４０】
また、ユーザ用表示部２２は、データセンターの設備に関する情報を表示する（図３Ｂ参照）。より具体的には、ユーザ用表示部２２は、データセンターの設備に関する情報として、常駐スペースの大きさ、仮眠室の収容人数及び搬入用エレベータの開口面積等を表示する。
【００４１】
また、ユーザ用表示部２２は、データセンターの保守及び管理に関する情報を表示する（図３Ｃ参照）。より具体的には、ユーザ用表示部２２は、データセンターの保守及び管理に関する情報として、稼働率、中央設備監視の有無、監視管理体制の内容等を表示する。
【００４２】
また、ユーザ用表示部２２は、データセンターの監視及び警備に関する情報を表示する（図３Ｃ参照）。より具体的には、ユーザ用表示部２２は、データセンターの監視及び警備に関する情報として、中央警備監視の有無、警備監視体制の内容等を表示する。
【００４３】
また、ユーザ用表示部２２は、ＰＵＥ（Power Usage Effectiveness：電力使用効率）目標等の環境に関する情報や、ＩＳＯ２７００１、プライバシーマーク等の外部認証に関する情報も表示する。
【００４４】
《効果》
次に、上述した構成からなる本実施の形態によって達成される効果であって、まだ述べていない効果又はとりわけ重要な効果について説明する。
【００４５】
本実施の形態によれば、記憶部１０に記憶されたデータセンター情報は、所定の条件を満たす会員のみによって検索可能となっている（図１参照）。このため、当該データセンター情報にアクセスすることができる者を「所定の条件を満たす会員」に限定することができることから、より詳細な情報をベンダーから提供を受けてユーザに提供することができる。このため、ユーザに対してデータセンターに関する十分な情報を提供することができる。
【００４６】
さらに本実施の形態では、会員になるための所定の条件がユーザの売上高及び業種に基づいて決定され、一例として、所定額以上の売上があり、かつ、特定の業種であることを条件とすることができる。このため、大手のユーザであってデータセンターを提供するベンダーのライバル企業ではないユーザのみに情報のアクセスを制限することができることから、各ベンダーがさらにより詳細な情報を安心して仲介者に提供することができ、その結果、ユーザはさらに詳細な情報を取得することができる。
【００４７】
また、本実施の形態によるデータセンター検索システム１００は、データセンター情報を検索する際にユーザ用入力部２１から入力された各項目に関する条件を記憶部１０から読み出す解析部５０を備えている。この解析部５０は、ベンダー用端末６０のベンダー用入力部６１からあるベンダーが所定の入力操作を行うことで、当該ベンダーが保有又は管理するデータセンターにアクセスしたユーザがデータセンター情報を検索する際にユーザ用入力部２１から入力した各項目に関する条件（データセンターの利用を開始する予定時期に関する情報、必要とするデータセンターの大きさに関する情報等を含む。）を記憶部１０から読み出す。そして、解析部５０は、データセンターの利用を開始する予定時期に関する情報、必要とするデータセンターの大きさに関する情報等を、通信部１１１を介してベンダー用端末６０に送信し、ベンダー用表示部６２が当該情報を表示する。このため、ベンダーは、自己の保有又は管理するデータセンターにアクセスしたユーザがいつどのようなデータセンターを必要としているかを把握することができる。したがって、ベンダーは、例えばユーザがデータセンターを必要とする時期に合わせて自己が持っているデータセンターを増強したり、自己が持っているデータセンターの空きを確保するためにサーバやストレージ等の機器を移動させたり、場合によっては他のユーザからの貸し出しの申し出を断ったりすることで、将来的なユーザの確保を試みることができる。なお、ベンダー用表示部６２で表示される際には、ユーザの実際の名前が表示されるわけではなくＩＤ番号等の識別情報が表示されるようになっている。
【００４８】
なお一例として、ユーザがユーザ用入力部２１から自己の希望する条件を選択した結果（図２Ａ及び図２Ｂ参照）、ユーザ用表示部２２で「あるデータセンター」が表示されると、記憶部１０は、ユーザがユーザ用入力部２１から入力した条件の内容（ユーザがデータセンターの利用を開始する予定時期に関する情報、当該ユーザが必要とするデータセンターの大きさに関する情報等を含む。）だけでなく、その検索が行われた日時等を記憶する。そして、ベンダー用表示部６２では、ユーザがユーザ用入力部２１から入力した条件の他に、その日時も表示される。このため、本実施の形態によれば、ベンダーは、自己の保有又は管理するデータセンターに対してアクセスしてきたユーザのニーズを、その時期とともに把握することができることとなる。
【００４９】
データセンター情報を検索する際には、ユーザは例えば、利用開始時期、必要ラック数、ラック当たりの電源供給量、ラック当たりの空調供給量等について入力することができる（図２Ａ参照）。また、ユーザは、さらに、データセンターの立地、電源、空調、通信、コンピュータ室、建物、設備等に関する情報をユーザ用端末２０のユーザ用入力部２１から入力することができる（図２Ａ及び図２Ｂ参照）。このため、ユーザは詳細な情報を用いて、自己の要求に沿ったデータセンターを検索することができる。
【００５０】
そして、検索結果として、ユーザ用表示部２２は、提供できるデータセンターの立地に関する情報を表示する（図３Ａ参照）。このため、表示されたデータセンターがどのような位置に所在するのかを把握することができ、ユーザは、サーバやストレージ等の機器の管理を行ううえで適した立地であるかを容易に判断することができる。
【００５１】
また、ユーザ用表示部２２は、現在提供できるデータセンターに関する現在情報と、将来提供できるデータセンターに関する将来情報とを表示する（図３Ａ参照）。このため、ユーザは、データセンターの移転、新たなデータセンターの利用等、現在や将来の計画を立てやすくなる。なおこの際、一例として、ユーザ用表示部２２は、現在提供できるデータセンターの電源供給余力、空調供給余力、空きラック数及びコンピュータ室の空き面積と、将来に提供できるデータセンターの電源供給余力、空調供給余力、空きラック数及びコンピュータ室の空き面積を表示するので、ユーザは自己の利用するサーバやストレージ等の機器の数や大きさ等に沿った計画を立てやすくなる。
【００５２】
また、ユーザ用表示部２２は、データセンターの電源に関する情報を表示する（図３Ｂ参照）。より具体的には、ユーザ用表示部２２は、データセンターの電源に関する情報として、系統受電方式に関する情報、系統引込形態に関する情報、受電電圧に関する情報、ＵＰＳ稼働時間、自家発電可能な時間に関する情報、自家発電するための燃料を優先供給うける契約の有無、自家発電設置台数、ＵＰＳ設置台数等を表示する。このため、ユーザはデータセンターが提供する電源に関して、自己が設置しようとしているサーバやストレージ等の機器に合致しているか否かを容易に把握することができる。
【００５３】
とりわけ、本実施の形態では、ユーザ用表示部２２が系統受電方式に関する情報及び系統引込形態に関する情報を表示することから、ユーザは回線の故障等の緊急時に対する耐性や緊急時における対応のしやすさ等を容易に把握することができる。また、本実施の形態では、ユーザ用表示部２２が自家発電設置台数及びＵＰＳ設置台数を表示することから、ユーザは停電等の緊急時にどれくらいの電力を同時に供給できるかを容易に把握することができる。
【００５４】
また、ユーザ用表示部２２は、データセンターの空調に関する情報を表示する（図３Ｂ参照）。より具体的には、ユーザ用表示部２２は、データセンターの空調に関する情報として、空調方式、断水時稼働時間等を表示する。このため、ユーザはデータセンターが提供する空調が、自己が設置しようとしているサーバやストレージ等の機器を動かすうえで十分であるか否かを容易に把握することができる。とりわけ、本実施の形態では、ユーザ用表示部２２が断水時稼働時間（断水したときに連続して稼働できる時間）を表示することから、水冷するための水の供給が停止してしまう等の緊急時において、ユーザはサーバやストレージ等の機器をどのくらいの時間連続して稼働することができるかを容易に把握することができる。
【００５５】
また、ユーザ用表示部２２は、データセンターの通信環境に関する情報を表示する（図３Ｂ参照）。より具体的には、ユーザ用表示部２２は、データセンターの通信環境に関する情報として、キャリアの種類（より具体的には通信会社名）、回線引込形態に関する情報及び異局収容の可否を表示する。このため、ユーザはデータセンターが提供する通信環境が十分なものであるか否かについて容易に把握することができる。とりわけ、本実施の形態では、ユーザ用表示部２２が回線引込形態に関する情報を表示することから、ユーザは回線の故障等の緊急時における対応のしやすさ等を容易に把握することができる。また、本実施の形態では、ユーザ用表示部２２が異局収容の可否を表示することから、ユーザは１つの局が何らしかの理由で使用することができないような緊急事態において、他の局を利用して継続して通信することができるかを容易に把握することができる。
【００５６】
また、ユーザ用表示部２２は、コンピュータ室に関する情報を表示する（図３Ｂ参照）。より具体的には、ユーザ用表示部２２は、コンピュータ室に関する情報として、スラブ荷重、ラック荷重等を表示する。このため、ユーザはデータセンターのコンピュータ室に設置可能な荷重を容易に把握することができ、自己が設置しようとしているサーバやストレージ等の機器を実際に設置することができるか否かを容易に把握することができる。
【００５７】
また、ユーザ用表示部２２は、建物に関する情報を表示する（図３Ｂ参照）。より具体的には、ユーザ用表示部２２は、建物に関する情報として、当該建物が耐震構造であるのか免震構造であるのか制振構造であるのかに関する情報、浸水対策の有無及びその内容等を表示する。このため、ユーザはデータセンターを収容している建物の地震に対する安全性や水害に対する耐性を容易に把握することができる。
【００５８】
また、ユーザ用表示部２２は、データセンターの設備に関する情報を表示する（図３Ｂ参照）。より具体的には、ユーザ用表示部２２は、データセンターの設備に関する情報として、常駐スペースの大きさ及び仮眠室の収容人数を表示する。このため、ユーザは、データセンターにサーバやストレージ等の機器を設置した後の保守作業のしやすさを容易に把握することができる。また、本実施の形態のユーザ用表示部２２は、搬入用エレベータの開口面積も表示することから、当該データセンターにサーバやストレージ等の機器をエレベータを使って搬入することができるかについても容易に把握することができる。
【００５９】
また、ユーザ用表示部２２は、データセンターの保守及び管理に関する情報を表示する（図３Ｃ参照）。より具体的には、ユーザ用表示部２２は、データセンターの保守及び管理に関する情報として、稼働率、中央設備監視の有無、監視管理体制の内容等を表示する。このため、ユーザは、どの程度の頻度で点検等が行われてサーバやストレージ等の機器の稼働に影響がでるか、対象となっているデータセンターに関する管理体制がどのようになっているかについて、容易に把握することができる。
【００６０】
また、ユーザ用表示部２２は、データセンターの監視及び警備に関する情報を表示する（図３Ｃ参照）。より具体的には、ユーザ用表示部２２は、データセンターの監視及び警備に関する情報として、中央警備監視の有無、警備監視体制の内容等を表示する。このため、ユーザは、対象となっているデータセンターに関する警備監視体制がどのようになっているかについて、容易に把握することができる。
【００６１】
また、ユーザ用表示部２２は、ＰＵＥ目標等の環境に関する情報や、ＩＳＯ２７００１、プライバシーマーク等の外部認証に関する情報も表示する（図３Ｃ参照）。このため、ユーザは、対象となっているデータセンターの環境に対する考慮がどのようになっているか、どのような外部認証をとっているか等について、容易に把握することができる。
【００６２】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００６３】
１０        記憶部
２０        ユーザ用端末
２１        ユーザ用入力部（入力部）
２２        ユーザ用表示部
５０        解析部
６０        ベンダー用端末
６１        ベンダー用入力部
６２        ベンダー用表示部
１００      データセンター検索システム
１１０      データセンター情報提供装置
１１１      通信部
【図１】
2015162240.tif 000003
【図２Ａ】
2015162240.tif 000004
【図２Ｂ】
2015162240.tif 000005
【図３Ａ】
2015162240.tif 000006
【図３Ｂ】
2015162240.tif 000007
【図３Ｃ】
2015162240.tif 000008